(57)【特許請求の範囲】
【請求項１】
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部と、
前記充放電部により前記複数の蓄電池パックを前記充放電させているときに、前記複数の蓄電池パックの接続関係を特定するため、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備える
蓄電システム。
【請求項２】
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部と、
前記充放電部により前記複数の蓄電池パックを前記充放電させているときに、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備え、
前記第１通信部は、前記第１通信部を備える蓄電池パック内の前記電力経路の電流値が前記第１蓄電池パックおよび前記第２蓄電池パックのうち一方の蓄電池パックの前記スイッチの切替に応じて変動した場合、前記第１通信部を備える前記蓄電池パックを示す第１識別情報を前記充放電装置に送信する
蓄電システム。
【請求項３】
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部と、
前記充放電部により前記複数の蓄電池パックを前記充放電させているときに、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備え、
前記制御部は、前記第１蓄電池パックおよび前記第２蓄電池パックのうち一方の蓄電池パックの前記スイッチの切替に応じて前記電力経路の電流値が変動する蓄電池パックを前記一方の蓄電池パックに直列に接続された蓄電池パックとして示す配列情報を出力する
蓄電システム。
【請求項４】
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部と、
前記充放電部により前記複数の蓄電池パックを前記充放電させているときに、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備え、
前記充放電装置は、さらに、前記複数の蓄電池パックのそれぞれが異常状態であるか否かを判断する異常判断部を備え、
前記制御部は、さらに、前記複数の蓄電池パックのうち、前記異常判断部で異常状態であると判断された蓄電池パックに応じて、前記複数の蓄電池パックのうち１以上の蓄電池パックのそれぞれの前記スイッチを開き、
前記制御部は、前記第１蓄電池パックおよび前記第２蓄電池パックのうち一方の蓄電池パックの前記スイッチの切替に応じて前記電力経路の電流値が変動する蓄電池パックが、前記異常判断部で異常状態であると判断された場合、前記一方の蓄電池パックの前記スイッチの切替に応じて前記電力経路の電流値が変動する別の蓄電池パックの前記スイッチを開く
蓄電システム。
【請求項５】
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部と、
前記充放電部により前記複数の蓄電池パックを前記充放電させているときに、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備え、
前記複数の蓄電池パックのそれぞれは、さらに、前記スイッチの切替を制御する個別制御部を備え、
前記第１通信部は、前記複数の蓄電池パックのうち異常状態である蓄電池パックから異常情報を受信し、
前記個別制御部は、前記個別制御部を備える蓄電池パックが、前記第１蓄電池パックおよび前記第２蓄電池パックのうち一方の蓄電池パックの前記スイッチの切替に応じて前記電力経路の電流値が変動する蓄電池パックであり、かつ、前記個別制御部を備える前記蓄電池パックの前記第１通信部が、前記一方の蓄電池パックの前記スイッチの切替に応じて前記電力経路の電流値が変動する別の蓄電池パックから前記異常情報を受信した場合、前記個別制御部を備える前記蓄電池パックの前記スイッチを開く
蓄電システム。
【請求項６】
前記第２蓄電池パックは、前記第１スイッチの切替に応じて前記電力経路の電流値が変動する蓄電池パックとは異なる
請求項１〜５のいずれか１項に記載の蓄電システム。
【請求項７】
前記複数の蓄電池パックのそれぞれは、前記電力経路の電流値を測定する電流センサを備える
請求項１〜６のいずれか１項に記載の蓄電システム。
【請求項８】
前記第１通信部は、前記電力経路の電流値を前記充放電装置に送信する
請求項１〜７のいずれか１項に記載の蓄電システム。
【請求項９】
前記第１通信部は、
前記充放電装置から、前記スイッチを切り替えた蓄電池パックを示す第２識別情報を受信し、
前記第１識別情報を送信する場合、前記第１識別情報および前記第２識別情報を送信する
請求項２に記載の蓄電システム。
【請求項１０】
前記第１通信部は、
前記スイッチを切り替えた蓄電池パックから、前記スイッチを切り替えた蓄電池パックを示す第２識別情報を受信し、
前記第１識別情報を送信する場合、前記第１識別情報および前記第２識別情報を送信する
請求項２に記載の蓄電システム。
【請求項１１】
前記第２通信部は、表示部を備える外部の通信端末と通信し、
前記制御部は、前記第２通信部を介して、前記配列情報を前記外部の通信端末の前記表示部に表示することにより、前記配列情報を出力する
請求項３に記載の蓄電システム。
【請求項１２】
前記充放電装置は、さらに、前記複数の蓄電池パックのそれぞれが異常状態であるか否かを判断する異常判断部を備え、
前記制御部は、さらに、前記複数の蓄電池パックのうち、前記異常判断部で異常状態であると判断された蓄電池パックに応じて、前記複数の蓄電池パックのうち１以上の蓄電池パックのそれぞれの前記スイッチを開く
請求項１〜３、５および９〜１１のいずれか１項に記載の蓄電システム。
【請求項１３】
前記制御部は、前記異常判断部で異常状態であると判断された前記蓄電池パックの前記スイッチを開く
請求項４または１２に記載の蓄電システム。
【請求項１４】
前記第２通信部は、前記複数の蓄電池パックのうち異常状態である蓄電池パックから異常情報を受信し、
前記異常判断部は、前記第２通信部が受信した前記異常情報に基づいて、前記複数の蓄電池パックのそれぞれが異常状態であるか否かを判断する
請求項４、１２および１３のいずれか１項に記載の蓄電システム。
【請求項１５】
前記充放電装置は、さらに、前記複数の蓄電池パックのそれぞれを着脱自在に接続する接続部を備える
請求項１〜１４のいずれか１項に記載の蓄電システム。
【請求項１６】
前記充放電装置は、さらに、前記複数の蓄電池パックのそれぞれの装着を検知する装着検知部を備え、
前記制御部は、前記複数の蓄電池パックのうち少なくとも１つの装着が検知された場合、前記複数の蓄電池パックに通電させて、前記複数の蓄電池パックの通電中に、前記第１スイッチを開いて、前記第１スイッチを閉じて、前記第２スイッチを開いて、前記第２スイッチを閉じる
請求項１５に記載の蓄電システム。
【請求項１７】
前記制御部は、前記充放電部が前記充放電を開始する場合、前記複数の蓄電池パックに通電させて、前記複数の蓄電池パックの通電中に、前記第１スイッチを開いて、前記第１スイッチを閉じて、前記第２スイッチを開いて、前記第２スイッチを閉じる
請求項１〜１６のいずれか１項に記載の蓄電システム。
【請求項１８】
前記制御部は、前記第１スイッチおよび前記第２スイッチのうち一方のスイッチの切替に応じて前記電力経路の電流値が変動する２つの蓄電池パックの２つの充電状態の差を示す値が所定範囲内でない場合、警告を出力する
請求項１〜１７のいずれか１項に記載の蓄電システム。
【請求項１９】
前記第２通信部は、表示部を備える外部の通信端末と通信し、
前記制御部は、前記第２通信部を介して、前記警告を前記外部の通信端末の前記表示部に表示させることにより、前記警告を出力する
請求項１８に記載の蓄電システム。
【請求項２０】
蓄電システムの制御方法であって、
前記蓄電システムは、
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部とを備え、
前記蓄電システムの制御方法は、
前記充放電部により前記複数の蓄電池パックを前記充放電させているときに、前記複数の蓄電池パックの接続関係を特定するため、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップを含む
蓄電システムの制御方法。
【請求項２１】
蓄電システムの制御方法であって、
前記蓄電システムは、
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部とを備え、
前記蓄電システムの制御方法は、
前記充放電部により前記複数の蓄電池パックを前記充放電させているときに、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップと、
前記第１通信部を備える蓄電池パック内の前記電力経路の電流値が前記第１蓄電池パックおよび前記第２蓄電池パックのうち一方の蓄電池パックの前記スイッチの切替に応じて変動した場合、前記第１通信部が、前記第１通信部を備える前記蓄電池パックを示す第１識別情報を前記充放電装置に送信する送信ステップとを含む
蓄電システムの制御方法。
【請求項２２】
蓄電システムの制御方法であって、
前記蓄電システムは、
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部とを備え、
前記蓄電システムの制御方法は、
前記充放電部により前記複数の蓄電池パックを前記充放電させているときに、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップと、
前記第１蓄電池パックおよび前記第２蓄電池パックのうち一方の蓄電池パックの前記スイッチの切替に応じて前記電力経路の電流値が変動する蓄電池パックを前記一方の蓄電池パックに直列に接続された蓄電池パックとして示す配列情報を出力する出力ステップとを含む
蓄電システムの制御方法。
【請求項２３】
蓄電システムの制御方法であって、
前記蓄電システムは、
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部とを備え、
前記蓄電システムの制御方法は、
前記充放電部により前記複数の蓄電池パックを前記充放電させているときに、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップと、
前記複数の蓄電池パックのそれぞれが異常状態であるか否かを判断する異常判断ステップとを含み、
前記制御ステップでは、さらに、前記複数の蓄電池パックのうち、前記異常判断ステップで異常状態であると判断された蓄電池パックに応じて、前記複数の蓄電池パックのうち１以上の蓄電池パックのそれぞれの前記スイッチを開き、
前記制御ステップでは、前記第１蓄電池パックおよび前記第２蓄電池パックのうち一方の蓄電池パックの前記スイッチの切替に応じて前記電力経路の電流値が変動する蓄電池パックが、前記異常判断ステップで異常状態であると判断された場合、前記一方の蓄電池パックの前記スイッチの切替に応じて前記電力経路の電流値が変動する別の蓄電池パックの前記スイッチを開く
蓄電システムの制御方法。
【請求項２４】
蓄電システムの制御方法であって、
前記蓄電システムは、
複数の蓄電池パックと、
前記複数の蓄電池パックの充電および放電のうち少なくとも一方である充放電を行う充放電装置とを備え、
前記複数の蓄電池パックのそれぞれは、
二次電池と、
前記充放電のための電力経路において、前記二次電池に直列に接続されたスイッチと、
前記充放電装置と無線通信を行う第１通信部とを備え、
前記充放電装置は、
前記充放電を行う充放電部と、
前記複数の蓄電池パックと無線通信を行う第２通信部とを備え、
前記蓄電システムの制御方法は、
前記充放電部により前記複数の蓄電池パックを前記充放電させているときに、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップを含み、
前記複数の蓄電池パックのそれぞれは、さらに、前記スイッチの切替を制御する個別制御部を備え、
前記蓄電システムの制御方法は、さらに、
前記第１通信部が、前記複数の蓄電池パックのうち異常状態である蓄電池パックから異常情報を受信する受信ステップと、
前記個別制御部を備える蓄電池パックが、前記第１蓄電池パックおよび前記第２蓄電池パックのうち一方の蓄電池パックの前記スイッチの切替に応じて前記電力経路の電流値が変動する蓄電池パックであり、かつ、前記個別制御部を備える前記蓄電池パックの前記第１通信部が、前記一方の蓄電池パックの前記スイッチの切替に応じて前記電力経路の電流値が変動する別の蓄電池パックから前記異常情報を受信した場合、前記個別制御部が、前記個別制御部を備える前記蓄電池パックの前記スイッチを開く個別制御ステップとを含む
蓄電システムの制御方法。
【発明の詳細な説明】
【技術分野】
【０００１】
本発明は、電気エネルギーを制御するための蓄電システム等に関する。
【背景技術】
【０００２】
特許文献１は、感知した外部状況の危険程度に応じて大型バッテリーシステムのバッテリー単位毎にスイッチ連結を可変的に断線または接続制御し、低容量、低電圧状態に切り替える可変的断線装置及び可変的断線制御方法を示す。
【先行技術文献】
【特許文献】
【０００３】
【特許文献１】特表２０１３−５４６１１９号公報
【発明の概要】
【発明が解決しようとする課題】
【０００４】
しかしながら、複数の蓄電池パックと充放電装置とを備える蓄電システムにおいて、複数の蓄電池パックと充放電装置との間で通信を行うための配線が複雑になり、複数の蓄電池パックの充放電を適切に制御することが困難になる場合がある。
【０００５】
そこで、複数の蓄電池パックの充放電を適切に制御することができる蓄電システム等を提供する。
【課題を解決するための手段】
【０００６】
本発明の一態様に係る蓄電システムは、複数の蓄電池パックと、前記複数の蓄電池パックの充電および放電のうち少なくとも一方である充放電を行う充放電装置とを備え、前記複数の蓄電池パックのそれぞれは、二次電池と、前記充放電のための電力経路において、前記二次電池に直列に接続されたスイッチと、前記充放電装置と無線通信を行う第１通信部とを備え、前記充放電装置は、前記充放電を行う充放電部と、前記複数の蓄電池パックと無線通信を行う第２通信部と、前記充放電部により前記複数の蓄電池パックを前記充放電させているときに、前記複数の蓄電池パックの接続関係を特定するため、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備える。 
【０００７】
なお、これらの包括的または具体的な態様は、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本発明の一態様に係る蓄電システム等は、複数の蓄電池パックの充放電を適切に制御することができる。
【図面の簡単な説明】
【０００９】
【図１】図１は、実施の形態１における蓄電システムの構成を示すブロック図である。
【図２】図２は、実施の形態１における蓄電システムの動作を示すフローチャートである。
【図３】図３は、実施の形態２における蓄電システムの概念図である。
【図４】図４は、実施の形態２における蓄電池パックの回路図である。
【図５】図５は、実施の形態２における蓄電システムの構成図である。
【図６】図６は、実施の形態２における複数の蓄電池パックを示す図である。
【図７】図７は、実施の形態２における複数の蓄電池パックの第１状態を示す図である。
【図８】図８は、実施の形態２における複数の蓄電池パックの第２状態を示す図である。
【図９】図９は、実施の形態２における複数の蓄電池パックの第３状態を示す図である。
【図１０】図１０は、実施の形態２における複数の蓄電池パックの接続関係を示す図である。
【図１１】図１１は、実施の形態２における蓄電システムの動作を示すフローチャートである。
【図１２】図１２は、実施の形態２における配列確認処理を示すフローチャートである。
【図１３】図１３は、実施の形態３における蓄電システムの構成図である。
【図１４】図１４は、実施の形態３における蓄電システムの動作を示すフローチャートである。
【発明を実施するための形態】
【００１０】
（本発明の基礎となった知見）
本発明者は、複数の蓄電池パックを備える蓄電システム等に関し、課題を見出した。以下、具体的に説明する。
【００１１】
複数の蓄電池パックと充放電装置とを備える蓄電システムにおいて、複数の蓄電池パックのそれぞれと充放電装置とが互いに通信を行う場合がある。例えば、充放電装置は、蓄電池パックから蓄電池パック内の電流値、電圧値および温度等の情報を受信する。充放電装置は、蓄電池パックから受信した情報を外部に通知したり、蓄電池パックの充放電を停止したり、蓄電池パックの充放電を開始したりする。
【００１２】
蓄電システムの具体的な構成として、例えば、複数の蓄電池パックのそれぞれと、充放電装置とが、充放電のための物理的な電力線を介して互いに接続され、さらに、通信のための物理的な通信線を介して互いに接続される。充放電装置は、複数の蓄電池パックのそれぞれと通信を行うため、物理的な複数の端子を備えてもよい。
【００１３】
しかしながら、このような有線通信に対応する構成では、複数の蓄電池パックと充放電装置との間において、あるいは、充放電装置の内部において、配線が複雑になる場合がある。そのため、蓄電システムの故障が多くなったり、製造コストが高くなったりする可能性がある。
【００１４】
そこで、本発明の一態様に係る蓄電システムは、複数の蓄電池パックと、前記複数の蓄電池パックの充電および放電のうち少なくとも一方である充放電を行う充放電装置とを備え、前記複数の蓄電池パックのそれぞれは、二次電池と、前記充放電のための電力経路において、前記二次電池に直列に接続されたスイッチと、前記充放電装置と無線通信を行う第１通信部とを備え、前記充放電装置は、前記充放電を行う充放電部と、前記複数の蓄電池パックと無線通信を行う第２通信部と、前記充放電部に前記充放電を行わせて前記複数の蓄電池パックに通電させ、前記複数の蓄電池パックの通電中に、前記第２通信部を介して、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御部とを備える。
【００１５】
これにより、複数の蓄電池パックとの通信に無線通信が用いられるため、配線が簡素化される。また、通電中に、無線通信を介して、第１蓄電池パックの第１スイッチと、第２蓄電池パックの第２スイッチとが順次切り替えられる。例えば、第１蓄電池パックの第１スイッチの切替に応じて状態が変動する蓄電池パックは、第１蓄電池パックに対して電気的に直列に接続されていると判断することが可能である。
【００１６】
したがって、通電中にこれらのスイッチが順次切り替えられることにより、これらの蓄電池パックのそれぞれに対して直列に接続する蓄電池パックを判断することが可能である。そして、蓄電システムは、異常な蓄電池パックに対して直列に接続する蓄電池パックのスイッチを開いて複数の蓄電池パックの充放電を行う等のように、接続関係に基づいて、複数の蓄電池パックの充放電を適切に制御することができる。
【００１７】
例えば、前記第２蓄電池パックは、前記第１スイッチの切替に応じて前記電力経路の電流値が変動する蓄電池パックとは異なってもよい。
【００１８】
これにより、第１蓄電池パックの第１スイッチの切替に続いて、第１蓄電池パックに対して電気的に直列に接続されていないと想定される第２蓄電池パックの第２スイッチが切り替えられる。したがって、効率よく接続関係を特定することが可能である。
【００１９】
また、例えば、前記複数の蓄電池パックのそれぞれは、前記電力経路の電流値を測定する電流センサを備えてもよい。
【００２０】
これにより、測定された電流値に基づいて、接続関係を適切に特定することが可能である。
【００２１】
また、例えば、前記第１通信部は、前記電力経路の電流値を前記充放電装置に送信してもよい。
【００２２】
これにより、充放電装置は、各蓄電池パックから受信した電流値に基づいて、第１蓄電池パックまたは第２蓄電池パックに対して電気的に直列に接続されている蓄電池パックを特定することができる。
【００２３】
また、例えば、前記第１通信部は、前記第１通信部を備える蓄電池パック内の前記電力経路の電流値が前記第１蓄電池パックおよび前記第２蓄電池パックのうち一方の蓄電池パックの前記スイッチの切替に応じて変動した場合、前記第１通信部を備える前記蓄電池パックを示す第１識別情報を前記充放電装置に送信してもよい。
【００２４】
これにより、充放電装置は、識別情報に基づいて、第１蓄電池パックまたは第２蓄電池パックに対して電気的に直列に接続されている蓄電池パックを特定することができる。
【００２５】
また、例えば、前記第１通信部は、前記充放電装置から、前記スイッチを切り替えた蓄電池パックを示す第２識別情報を受信し、前記第１識別情報を送信する場合、前記第１識別情報および前記第２識別情報を送信してもよい。
【００２６】
これにより、蓄電池パックは、スイッチが切り替えられた蓄電池パックを示す識別情報として、充放電装置から受信した識別情報を送信することができる。
【００２７】
また、例えば、前記第１通信部は、前記スイッチを切り替えた蓄電池パックから、前記スイッチを切り替えた蓄電池パックを示す第２識別情報を受信し、前記第１識別情報を送信する場合、前記第１識別情報および前記第２識別情報を送信してもよい。
【００２８】
これにより、蓄電池パックは、スイッチが切り替えられた蓄電池パックを示す識別情報として、スイッチが切り替えられた蓄電池パックから受信した識別情報を送信することができる。
【００２９】
また、例えば、前記制御部は、前記第１蓄電池パックおよび前記第２蓄電池パックのうち一方の蓄電池パックの前記スイッチの切替に応じて前記電力経路の電流値が変動する蓄電池パックを前記一方の蓄電池パックに直列に接続された蓄電池パックとして示す配列情報を出力してもよい。
【００３０】
これにより、蓄電システムは、複数の蓄電池パックの状態を示す情報として、複数の蓄電池パックの接続関係に関連する配列情報を出力することができる。
【００３１】
また、例えば、前記第２通信部は、表示部を備える外部の通信端末と通信し、前記制御部は、前記第２通信部を介して、前記配列情報を前記外部の通信端末の前記表示部に表示することにより、前記配列情報を出力してもよい。
【００３２】
これにより、例えば、蓄電システムは、スマートフォンの画面に配列情報を表示することができる。
【００３３】
また、例えば、前記充放電装置は、さらに、前記複数の蓄電池パックのそれぞれが異常状態であるか否かを判断する異常判断部を備え、前記制御部は、さらに、前記複数の蓄電池パックのうち、前記異常判断部で異常状態であると判断された蓄電池パックに応じて、前記複数の蓄電池パックのうち１以上の蓄電池パックのそれぞれの前記スイッチを開いてもよい。
【００３４】
これにより、充放電装置は、各蓄電池パックが異常状態であるか否かに応じて、充放電を制御することができる。
【００３５】
また、例えば、前記制御部は、前記異常判断部で異常状態であると判断された前記蓄電池パックの前記スイッチを開いてもよい。
【００３６】
これにより、異常状態である蓄電池パックのスイッチが開かれる。したがって、充放電装置は、異常状態である蓄電池パックに対して充放電が行われないように、充放電を制御することができる。
【００３７】
また、例えば、前記制御部は、前記第１蓄電池パックおよび前記第２蓄電池パックのうち一方の蓄電池パックの前記スイッチの切替に応じて前記電力経路の電流値が変動する蓄電池パックが、前記異常判断部で異常状態であると判断された場合、前記一方の蓄電池パックの前記スイッチの切替に応じて前記電力経路の電流値が変動する別の蓄電池パックの前記スイッチを開いてもよい。
【００３８】
これにより、異常状態である蓄電池パックに対して電気的に直列に接続されていると想定される蓄電池パックのスイッチが開かれる。したがって、充放電装置は、異常状態である蓄電池パックに対して充放電が行われないように、充放電を制御することができる。
【００３９】
また、例えば、前記第２通信部は、前記複数の蓄電池パックのうち異常状態である蓄電池パックから異常情報を受信し、前記異常判断部は、前記第２通信部が受信した前記異常情報に基づいて、前記複数の蓄電池パックのそれぞれが異常状態であるか否かを判断してもよい。
【００４０】
これにより、充放電装置は、蓄電池パックから受信する情報に基づいて、蓄電池パックが異常状態であるか否かを適切に判断することができる。
【００４１】
また、例えば、前記複数の蓄電池パックのそれぞれは、さらに、前記スイッチの切替を制御する個別制御部を備え、前記第１通信部は、前記複数の蓄電池パックのうち異常状態である蓄電池パックから異常情報を受信し、前記個別制御部は、前記個別制御部を備える蓄電池パックが、前記第１蓄電池パックおよび前記第２蓄電池パックのうち一方の蓄電池パックの前記スイッチの切替に応じて前記電力経路の電流値が変動する蓄電池パックであり、かつ、前記個別制御部を備える前記蓄電池パックの前記第１通信部が、前記一方の蓄電池パックの前記スイッチの切替に応じて前記電力経路の電流値が変動する別の蓄電池パックから前記異常情報を受信した場合、前記個別制御部を備える前記蓄電池パックの前記スイッチを開いてもよい。
【００４２】
これにより、蓄電池パックが、異常状態である蓄電池パックに対して電気的に直列に接続されていると想定される場合に、自身のスイッチを開くことができる。したがって、蓄電池パックが、異常状態である蓄電池パックに対して充放電が行われないように充放電を制御することができる。
【００４３】
また、例えば、前記充放電装置は、さらに、前記複数の蓄電池パックのそれぞれを着脱自在に接続する接続部を備えてもよい。
【００４４】
これにより、複数の蓄電池パックを互いに入れ替えることが可能である。すなわち、複数の蓄電池パックの接続関係を自在に変更することが可能である。
【００４５】
また、例えば、前記充放電装置は、さらに、前記複数の蓄電池パックのそれぞれの装着を検知する装着検知部を備え、前記制御部は、前記複数の蓄電池パックのうち少なくとも１つの装着が検知された場合、前記複数の蓄電池パックに通電させて、前記複数の蓄電池パックの通電中に、前記第１スイッチを開いて、前記第１スイッチを閉じて、前記第２スイッチを開いて、前記第２スイッチを閉じてもよい。
【００４６】
これにより、複数の蓄電池パックの接続関係が変更されたタイミングで、変更された接続関係を特定することが可能である。
【００４７】
また、例えば、前記制御部は、前記充放電部が前記充放電を開始する場合、前記複数の蓄電池パックに通電させて、前記複数の蓄電池パックの通電中に、前記第１スイッチを開いて、前記第１スイッチを閉じて、前記第２スイッチを開いて、前記第２スイッチを閉じてもよい。
【００４８】
これにより、充放電が開始されるタイミングで、複数の蓄電池パックの接続関係を特定することが可能である。
【００４９】
また、例えば、前記制御部は、前記第１スイッチおよび前記第２スイッチのうち一方のスイッチの切替に応じて前記電力経路の電流値が変動する２つの蓄電池パックの２つの充電状態の差を示す値が所定範囲内でない場合、警告を出力してもよい。
【００５０】
これにより、蓄電システムは、充放電が適切に行われない場合、警告を出力することができる。
【００５１】
また、例えば、前記第２通信部は、表示部を備える外部の通信端末と通信し、前記制御部は、前記第２通信部を介して、前記警告を前記外部の通信端末の前記表示部に表示させることにより、前記警告を出力してもよい。
【００５２】
これにより、例えば、蓄電システムは、スマートフォンの画面に警告を表示することができる。
【００５３】
また、これらの包括的または具体的な態様は、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００５４】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００５５】
また、ここで、充放電は、充電および放電のうち少なくとも一方である。充放電の表現は、充電または放電に置き換えられてもよい。また、スイッチを開くことは、スイッチをオフにすることを意味し、スイッチを閉じることは、スイッチをオンにすることを意味する。また、接続は、直接接続に限らず、電力線等を介した接続も含む。
【００５６】
（実施の形態１）
図１は、本実施の形態における蓄電システムの構成を示すブロック図である。図１に示された蓄電システム１００は、電気エネルギーを制御するための蓄電システムであって、蓄電池パック１１０ａ、１１０ｂ、１１０ｃ、および、充放電装置１２０を備える。
【００５７】
蓄電池パック１１０ａは、二次電池１１１ａ、スイッチ１１２ａ、および、通信部１１３ａを備える。蓄電池パック１１０ｂは、二次電池１１１ｂ、スイッチ１１２ｂ、および、通信部１１３ｂを備える。蓄電池パック１１０ｃは、二次電池１１１ｃ、スイッチ１１２ｃ、および、通信部１１３ｃを備える。
【００５８】
二次電池１１１ａは、電気エネルギーが貯蔵される二次電池であって、蓄電池または充電式電池とも呼ばれる。二次電池１１１ａの種類は、限定されず、どのような種類でもよい。
【００５９】
蓄電池パック１１０ａに対して充放電が行われた場合、二次電池１１１ａに対して充放電が行われる。二次電池１１１ａに対して充電が行われることにより二次電池１１１ａに電気エネルギーが貯蔵され、二次電池１１１ａに対して放電が行われることにより二次電池１１１ａから電気エネルギーが放出される。二次電池１１１ｂ、１１１ｃは、二次電池１１１ａと同様の構成要素である。
【００６０】
スイッチ１１２ａは、充放電のための電力経路において、二次電池１１１ａに直列に接続されたスイッチである。スイッチ１１２ａが開かれた状態において、蓄電池パック１１０ａ（二次電池１１１ａ）に対する充放電が不可であり、スイッチ１１２ａが閉じられた状態において、蓄電池パック１１０ａ（二次電池１１１ａ）に対する充放電が可能である。スイッチ１１２ｂ、１１２ｃは、スイッチ１１２ａと同様の構成要素である。
【００６１】
通信部１１３ａは、例えば、アンテナを有する通信インタフェース部であって、充放電装置１２０と無線通信を行う。より具体的には、通信部１１３ａは、充放電装置１２０の通信部１２３と無線通信を行う。そして、通信部１１３ａは、無線通信で、充放電装置１２０へ情報を送信し、充放電装置１２０から情報を受信する。無線通信の方式は、限定されず、どのような方式でもよい。通信部１１３ｂ、１１３ｃは、通信部１１３ａと同様の構成要素である。
【００６２】
充放電装置１２０は、蓄電池パック１１０ａ、１１０ｂ、１１０ｃの充放電を行う充放電装置であり、充放電部１２１、制御部１２２、および、通信部１２３を備える。
【００６３】
充放電部１２１は、蓄電池パック１１０ａ、１１０ｂ、１１０ｃの充放電を行う充放電部である。具体的には、充放電部１２１は、制御部１２２によって制御されることにより、充放電を行う。充放電部１２１は、直流電流を交流電流に変換するＤＣ／ＡＣインバータ、交流電流を直流電流に変換するＡＣ／ＤＣコンバータ、または、直流電流および交流電流を相互に変換する双方向インバータを有していてもよい。ここで、ＤＣは、直流電流（直流）を意味し、ＡＣは、交流電流（交流）を意味する。
【００６４】
例えば、充放電部１２１は、充電の際に、外部から交流電流を取得し、交流電流を直流電流に変換し、直流電流を蓄電池パック１１０ａ、１１０ｂ、１１０ｃへ供給する。また、充放電部１２１は、放電の際に、蓄電池パック１１０ａ、１１０ｂ、１１０ｃから直流電流を取得し、直流電流を交流電流に変換し、交流電流を外部に供給する。
【００６５】
制御部１２２は、充放電部１２１の動作、および、通信部１２３の動作を制御する制御部である。例えば、制御部１２２は、充放電部１２１に蓄電池パック１１０ａ、１１０ｂ、１１０ｃの充放電を行わせる。また、制御部１２２は、通信部１２３に蓄電池パック１１０ａ、１１０ｂ、１１０ｃのそれぞれと無線通信を行わせる。
【００６６】
通信部１２３は、例えば、アンテナを有する通信インタフェース部であって、蓄電池パック１１０ａ、１１０ｂ、１１０ｃのそれぞれと無線通信を行う。より具体的には、通信部１２３は、蓄電池パック１１０ａ、１１０ｂ、１１０ｃの通信部１１３ａ、１１３ｂ、１１３ｃのそれぞれと無線通信を行う。そして、通信部１２３は、無線通信で、蓄電池パック１１０ａ、１１０ｂ、１１０ｃのそれぞれへ情報を送信し、蓄電池パック１１０ａ、１１０ｂ、１１０ｃのそれぞれから情報を受信する。
【００６７】
なお、充放電装置１２０および充放電部１２１は、充電および放電のうち、充電のみに対応してもよいし、放電のみに対応してもよい。すなわち、充放電装置１２０は、充電装置でもよいし、放電装置でもよい。充放電部１２１は、充電部でもよいし、放電部でもよい。充電装置および充電部は、充電器と表現される場合がある。同様に、放電装置および放電部は、放電器と表現される場合がある。
【００６８】
図２は、図１に示された蓄電システム１００の動作を示すフローチャートである。図２では、主に、蓄電システム１００に含まれる充放電装置１２０の制御部１２２の動作が示されている。
【００６９】
まず、制御部１２２は、充放電部１２１に充放電を行わせて蓄電池パック１１０ａ、１１０ｂ、１１０ｃに通電させる（Ｓ１０１）。
【００７０】
次に、制御部１２２は、蓄電池パック１１０ａ、１１０ｂ、１１０ｃの通電中に、通信部１２３を介して、蓄電池パック１１０ａ、１１０ｂ、１１０ｃのスイッチ１１２ａ、１１２ｂ、１１２ｃの開閉を制御する（Ｓ１０２）。
【００７１】
具体的には、制御部１２２は、スイッチ１１２ａ、１１２ｂ、１１２ｃのうち１つのスイッチを開いて閉じる。その後、制御部１２２は、スイッチ１１２ａ、１１２ｂ、１１２ｃのうち別のスイッチを開いて閉じる。例えば、スイッチ１１２ａを開き、スイッチ１１２ａを閉じ、スイッチ１１２ｂを開き、スイッチ１１２ｂを閉じる。
【００７２】
図１に示された通り、本実施の形態では、蓄電池パック１１０ａ、１１０ｂ、１１０ｃのそれぞれと、充放電装置１２０とが、無線で相互に通信を行う。これにより、通信のための配線が簡素化される。
【００７３】
一方で、充放電装置１２０は、無線で蓄電池パック１１０ａ、１１０ｂ、１１０ｃのそれぞれと通信するため、充放電装置１２０が蓄電池パック１１０ａ、１１０ｂ、１１０ｃのそれぞれの位置を特定することは困難である。そして、充放電装置１２０が、蓄電池パック１１０ａ、１１０ｂ、１１０ｃのそれぞれの位置に基づいて、蓄電池パック１１０ａ、１１０ｂ、１１０ｃの電気的な接続関係を特定することは困難である。
【００７４】
そこで、図２に示されたように、充放電装置１２０の制御部１２２は、通電中に、無線通信を介して、蓄電池パック１１０ａ、１１０ｂ、１１０ｃのスイッチ１１２ａ、１１２ｂ、１１２ｃのいずれかを開いて閉じる。そして、例えば、蓄電池パック１１０ａのスイッチ１１２ａの開閉が切り替えられた際に、蓄電池パック１１０ｂ、１１０ｃのうち状態が変動する蓄電池パックは、蓄電池パック１１０ａに対して電気的に直列に接続されていると判断することが可能である。
【００７５】
したがって、充放電装置１２０の制御部１２２は、上記の動作に基づいて、蓄電池パック１１０ａ、１１０ｂ、１１０ｃのうち、互いに電気的に直列に接続された複数の蓄電池パックを特定することができる。そして、充放電装置１２０の制御部１２２は、接続関係に基づいて、異常な蓄電池パックに接続する蓄電池パックのスイッチを開いて充放電を行う等のように、充放電を適切に制御することができる。
【００７６】
なお、本実施の形態では、３つの蓄電池パック１１０ａ、１１０ｂ、１１０ｃが示されているが、蓄電池パックは、３つに限らず、２つでもよいし、４つ以上でも良い。また、本実施の形態では、スイッチ１１２ａの開閉が切り替えられた後に、スイッチ１１２ｂの開閉が切り替えられる例が示されている。しかし、切替対象のスイッチ、切替の順序、および、切替の回数は、このような例に限られない。例えば、１回の切替で接続関係を特定することが可能である場合、１回の切替のみが行われてもよい。
【００７７】
（実施の形態２）
本実施の形態では、実施の形態１に対応する蓄電システムのより具体的な構成例を説明する。
【００７８】
図３は、本実施の形態における蓄電システムの概念図である。図３に示された蓄電システム２００は、複数の蓄電池パック２１０、および、充放電装置２２０を備える。複数の蓄電池パック２１０は、実施の形態１の蓄電池パック１１０ａ、１１０ｂ、１１０ｃに対応する。充放電装置２２０は、実施の形態１の充放電装置２２０に対応する。
【００７９】
複数の蓄電池パック２１０のそれぞれは、接続部２１１を有し、充放電装置２２０は、接続部２２１を有する。接続部２１１と接続部２２１とが着脱自在に物理的に相互に接続することにより、複数の蓄電池パック２１０のそれぞれと、充放電装置２２０とが着脱自在に物理的に相互に接続する。
【００８０】
また、充放電装置２２０は、複数の蓄電池パック２１０のそれぞれの物理的な装着または物理的な取り外し等を検知するセンサ２２２を有する。センサ２２２は、着脱検知部または装着検知部とも表現される。
【００８１】
蓄電システム２００のユーザは、複数の蓄電池パック２１０のそれぞれを他の蓄電池パックと入れ替えることができる。例えば、蓄電システム２００のユーザは、複数の蓄電池パック２１０のうち、製品寿命が尽きた蓄電池パックを新たな蓄電池パックに入れ替えてもよい。
【００８２】
複数の蓄電池パック２１０のそれぞれと、充放電装置２２０とは、互いに無線通信を行う。充放電装置２２０は、無線通信で、複数の蓄電池パック２１０のそれぞれから蓄電池パックの識別情報を含む情報を受信することにより、受信した情報に対応する蓄電池パックを特定することができる。一方で、充放電装置２２０は複数の蓄電池パック２１０のそれぞれと物理的に接続するものの、接続部２２１を介して複数の蓄電池パック２１０のそれぞれと情報のやり取りは行わない。
【００８３】
これにより、配線が簡易になり、故障の防止や、製造コストを抑えることができる。しかし、充放電装置２２０が複数の蓄電池パック２１０のそれぞれの物理的な配置を特定することは困難であり、充放電装置２２０が物理的な配置に基づいて複数の蓄電池パック２１０の電気的な接続関係を特定することは困難である。
【００８４】
そこで、充放電装置２２０は、実施の形態１と同様の動作に基づいて、複数の蓄電池パック２１０の電気的な接続関係を特定する。以下、本実施の形態に係る構成および動作をより詳細に説明する。
【００８５】
図４は、図３に示された複数の蓄電池パック２１０のそれぞれに対応する回路図である。複数の蓄電池パック２１０のそれぞれは、正極端子２１２、スイッチ２１３、二次電池２１４、センサ２１５、２１６、制御部２１７、負極端子２１８、および、通信部２１９を備える。なお、図４には図示されていないが、図３に示された通り、複数の蓄電池パック２１０のそれぞれは接続部２１１を有する。
【００８６】
正極端子２１２は、蓄電池パックの正極に対応する。正極端子２１２は、充放電装置２２０、または、他の蓄電池パックの負極に、電力線を介して接続される。
【００８７】
スイッチ２１３は、充放電のための電力経路において、二次電池２１４に直列に接続されたスイッチである。スイッチ２１３が開かれた状態において、蓄電池パック（二次電池２１４）に対する充放電が不可であり、スイッチ２１３が閉じられた状態において、蓄電池パック（二次電池２１４）に対する充放電が可能である。スイッチ２１３は、実施の形態１のスイッチ１１２ａ、１１２ｂ、１１２ｃに対応する。
【００８８】
二次電池２１４は、電気エネルギーが貯蔵される二次電池であって、蓄電池または充電式電池とも呼ばれる。二次電池２１４に対して充電が行われることにより二次電池２１４に電気エネルギーが貯蔵され、二次電池２１４に対して放電が行われることにより二次電池２１４から電気エネルギーが放出される。二次電池２１４は、実施の形態１の二次電池１１１ａ、１１１ｂ、１１１ｃに対応する。
【００８９】
センサ２１５は、蓄電池パック（二次電池２１４）の電圧値、および、蓄電池パック（二次電池２１４）の温度を測定する。センサ２１５は、電圧値を測定する電圧センサと、温度を測定する温度センサとを含んでいてもよい。
【００９０】
センサ２１６は、蓄電池パック内の電力経路の電流値を測定する電流センサである。具体的には、センサ２１６は、充放電のための電力経路の電流値を測定する。
【００９１】
制御部２１７は、センサ２１５、２１６から電圧値、温度および電流値等を取得する。また、制御部２１７は、通信部２１９を介して、充放電装置２２０および他の蓄電池パックと通信する。また、制御部２１７は、スイッチ２１３の開閉を制御する。制御部２１７は、蓄電池パックを個別に制御するため、個別制御部と表現されてもよい。
【００９２】
具体的には、制御部２１７は、通信部２１９を介して、電圧値、温度および電流値等を充放電装置２２０および他の蓄電池パックに送信してもよい。また、制御部２１７は、電圧値、温度および電流値等に基づいて、スイッチ２１３の開閉を制御してもよい。また、制御部２１７は、通信部２１９を介して、充放電装置２２０および他の蓄電池パックから情報を受信し、受信した情報に基づいて、スイッチ２１３の開閉を制御してもよい。
【００９３】
負極端子２１８は、蓄電池パックの負極に対応する。負極端子２１８は、充放電装置２２０、または、他の蓄電池パックの正極に、電力線を介して接続される。
【００９４】
通信部２１９は、例えば、アンテナを有する通信インタフェース部であって、充放電装置２２０と無線通信を行う。具体的には、通信部２１９は、無線通信で、充放電装置２２０へ情報を送信し、充放電装置２２０から情報を受信する。通信部２１９は、実施の形態１の通信部１１３ａ、１１３ｂ、１１３ｃに対応する。
【００９５】
図５は、図３に示された蓄電システム２００の構成図である。上述した通り、蓄電システム２００は、複数の蓄電池パック２１０、および、充放電装置２２０を備える。図５において、充放電装置２２０は、充放電部２２３、制御部２２４、および、通信部２２５を備える。そして、充放電装置２２０は、複数の蓄電池パック２１０の充放電を行う。なお、図５には図示されていないが、図３に示された通り、充放電装置２２０は、接続部２２１、および、センサ２２２を備える。
【００９６】
充放電部２２３は、制御部２２４によって制御され、複数の蓄電池パック２１０の充放電を行う。充放電部２２３は、直流電流を交流電流に変換するＤＣ／ＡＣインバータ、交流電流を直流電流に変換するＡＣ／ＤＣコンバータ、または、直流電流および交流電流を相互に変換する双方向インバータを有していてもよい。充放電部２２３は、ＤＣ／ＡＣインバータに対応する放電部と、ＡＣ／ＤＣコンバータに対応する充電部とを含んでいてもよい。充放電部２２３は、実施の形態１の充放電部１２１に対応する。
【００９７】
制御部２２４は、充放電部２２３の動作、および、通信部２２５の動作を制御する。例えば、制御部２２４は、充放電部２２３に複数の蓄電池パック２１０の充放電を行わせる。また、制御部２２４は、通信部２２５に複数の蓄電池パック２１０のそれぞれと無線通信を行わせる。制御部２２４は、実施の形態１の制御部１２２に対応する。充放電装置２２０に含まれる制御部２２４は、複数の蓄電池パック２１０のそれぞれに含まれる制御部２１７と区別するため、集中制御部と表現されてもよい。
【００９８】
通信部２２５は、例えば、アンテナを有する通信インタフェース部であって、複数の蓄電池パック２１０のそれぞれと無線通信を行う。具体的には、通信部２２５は、無線通信で、複数の蓄電池パック２１０のそれぞれへ情報を送信し、複数の蓄電池パック２１０のそれぞれから情報を受信する。通信部２２５は、実施の形態１の通信部１２３に対応する。
【００９９】
複数の蓄電池パック２１０のそれぞれは、図４に示された回路を有する。また、図５の例の通り、複数の蓄電池パック２１０のそれぞれは、他の蓄電池パックに対して直列または並列に接続される。図５の例では、並列に接続された３列の蓄電池パック群のそれぞれにおいて、４つの蓄電池パックが直列に接続されている。ここでは、複数の蓄電池パック２１０のうち、直列に接続された複数の蓄電池パックが１つのグループを構成する。つまり、図５の例では、３つのグループが並列に接続されている。
【０１００】
なお、充放電装置２２０によって行われる処理および制御の動作は、主に、制御部２２４によって行われる。また、複数の蓄電池パック２１０のそれぞれによって行われる処理および制御の動作は、主に、制御部２１７によって行われる。
【０１０１】
図６は、図３に示された複数の蓄電池パック２１０を示す図である。複数の蓄電池パック２１０のそれぞれには、蓄電池パックを識別するための識別情報として、識別番号が割り当てられている。複数の蓄電池パック２１０のそれぞれは、記憶部（図示せず）に自身の識別番号を保持している。複数の蓄電池パック２１０のそれぞれが、自身の識別番号を含む情報を充放電装置２２０に送信することにより、充放電装置２２０は、情報の送信元である蓄電池パックを特定することができる。
【０１０２】
しかし、充放電装置２２０が、識別情報のみに基づいて、複数の蓄電池パック２１０の接続関係を特定することは困難である。
【０１０３】
そこで、充放電装置２２０は、複数の蓄電池パック２１０の充放電を行うことにより、複数の蓄電池パック２１０に通電させる。そして、充放電装置２２０は、複数の蓄電池パック２１０の通電中に、複数の蓄電池パック２１０のうち１つの蓄電池パックのスイッチ２１３を開く。１つの蓄電池パックのスイッチ２１３を開くことにより、影響を受けた蓄電池パックは、スイッチ２１３が開かれた１つの蓄電池パックに対して、電気的に直列に接続されていると想定される。
【０１０４】
なお、ここでは、複数の蓄電池パック２１０のそれぞれを識別するための識別情報として、識別番号が用いられているが、識別情報は、識別番号に限られない。
【０１０５】
図７は、図６に示された複数の蓄電池パック２１０の第１状態を示す図である。この例では、複数の蓄電池パック２１０の通電中に、識別番号が１である蓄電池パックのスイッチ２１３が開かれる。
【０１０６】
そして、識別番号が１である蓄電池パックのスイッチ２１３が開かれることにより、識別番号が３、６または８である蓄電池パックの状態が変動する。具体的には、識別番号が１である蓄電池パックのセンサ２１６で計測される電流値が０になると共に、識別番号が３、６または８である蓄電池パックのセンサ２１６で計測される電流値が０になる。
【０１０７】
したがって、この例では、充放電装置２２０は、複数の蓄電池パック２１０のうち、各識別番号が１、３、６または８である４つの蓄電池パックが互いに直列に接続されていると判断する。
【０１０８】
より具体的には、充放電装置２２０の通信部２２５は、複数の蓄電池パック２１０のそれぞれから、センサ２１６で測定された電流値を受信する。そして、充放電装置２２０の制御部２２４は、通信部２２５が受信した電流値に基づいて、識別番号が１である蓄電池パックのスイッチ２１３が開かれることで電流値が０に変動する蓄電池パックを特定する。この例では、識別番号が３、６または８である蓄電池パックが、電流値が０に変動する蓄電池パックである。
【０１０９】
したがって、充放電装置２２０の制御部２２４は、識別番号が１である蓄電池パックに対して、各識別番号が３、６または８である３つの蓄電池パックが直列に接続されていると特定する。
【０１１０】
あるいは、複数の蓄電池パック２１０のそれぞれが、１つの蓄電池パックのスイッチ２１３の切替に応じて電流値が変動するか否かを判断してもよい。そして、１つの蓄電池パックのスイッチ２１３の切替に応じて電流値が変動する他の蓄電池パックの通信部２１９は、自身に対応する識別番号を充放電装置２２０に送信してもよい。
【０１１１】
これにより、充放電装置２２０の通信部２２５は、電流値が変動する他の蓄電池パックから識別番号を受信することができる。そして、充放電装置２２０の制御部２２４は、識別番号に基づいて、１つの蓄電池パックのスイッチ２１３の切替に応じて電流値が変動する他の蓄電池パックを特定することができる。そして、充放電装置２２０の制御部２２４は、これらの蓄電池パックが互いに直列に接続されていると特定することができる。
【０１１２】
具体的には、この例では、識別番号が３である蓄電池パックのセンサ２１６で測定される電流値は、識別番号が１である蓄電池パックのスイッチ２１３の切替に応じて変動する。したがって、識別番号が３である蓄電池パックの通信部２１９は、自身に対応する識別番号として３を充放電装置２２０に送信する。
【０１１３】
そして、充放電装置２２０の通信部２２５が、識別番号を受信する。そして、充放電装置２２０の制御部２２４は、通信部２２５が受信した識別番号に基づいて、識別番号が１である蓄電池パックのスイッチ２１３の切替に応じて電流値が変動する他の蓄電池パックとして、識別番号が３である蓄電池パックを特定する。
【０１１４】
あるいは、１つの蓄電池パックのスイッチ２１３の切替に応じて電流値が変動する他の蓄電池パックの通信部２１９は、自身に対応する識別番号、および、スイッチ２１３が切り替えられた１つの蓄電池パックの識別番号を充放電装置２２０に送信してもよい。
【０１１５】
具体的には、この例では、識別番号が３である蓄電池パックの通信部２１９は、充放電装置２２０、または、識別番号が１である蓄電池パックから、切替対象の蓄電池パックの識別番号として１を受信する。識別番号が３である蓄電池パックの通信部２１９は、電流値が変動した際、自身に対応する識別番号として３、および、切替対象の蓄電池パックの識別番号として１を充放電装置２２０に送信する。
【０１１６】
そして、充放電装置２２０の通信部２２５は、識別番号が３である蓄電池パックから２つの識別番号を受信する。充放電装置２２０の制御部２２４は、通信部２２５が受信した２つの識別番号に基づいて、識別番号が１である蓄電池パックのスイッチ２１３の切替に応じて電流値が変動する他の蓄電池パックとして、識別番号が３である蓄電池パックを特定することができる。
【０１１７】
上記のように、複数の蓄電池パック２１０のそれぞれは、電流値を送信してもよい。あるいは、複数の蓄電池パック２１０のそれぞれは、電流値が変動した場合に、自身の識別番号等を送信してもよい。これにより、充放電装置２２０は、複数の蓄電池パック２１０の接続関係を部分的に特定することができる。
【０１１８】
図８は、図６に示された複数の蓄電池パック２１０の第２状態を示す図である。この例では、複数の蓄電池パック２１０の通電中に、識別番号が２である蓄電池パックのスイッチ２１３が開かれる。
【０１１９】
そして、識別番号が２である蓄電池パックのスイッチ２１３が開かれることにより、識別番号が５、１０または１１である蓄電池パックの状態が変動する。具体的には、識別番号が２である蓄電池パックのセンサ２１６で計測される電流値が０になると共に、識別番号が５、１０または１１である蓄電池パックのセンサ２１６で計測される電流値が０になる。
【０１２０】
したがって、この例では、充放電装置２２０は、複数の蓄電池パック２１０のうち、各識別番号が２、５、１０または１１である４つの蓄電池パックが互いに直列に接続されていると判断する。
【０１２１】
図８の例における充放電装置２２０、および、複数の蓄電池パック２１０の具体的な動作は、図７の例と同様である。
【０１２２】
図９は、図６に示された複数の蓄電池パック２１０の第３状態を示す図である。この例では、複数の蓄電池パック２１０の通電中に、識別番号が４である蓄電池パックのスイッチ２１３が開かれる。
【０１２３】
そして、識別番号が４である蓄電池パックのスイッチ２１３が開かれることにより、識別番号が７、９または１２である蓄電池パックの状態が変動する。具体的には、識別番号が４である蓄電池パックのセンサ２１６で計測される電流値が０になると共に、識別番号が７、９または１２である蓄電池パックのセンサ２１６で計測される電流値が０になる。
【０１２４】
したがって、この例では、充放電装置２２０は、複数の蓄電池パック２１０のうち、各識別番号が４、７、９または１２である４つの蓄電池パックが互いに直列に接続されていると判断する。
【０１２５】
図９の例における充放電装置２２０、および、複数の蓄電池パック２１０の具体的な動作は、図７の例と同様である。なお、３列の蓄電池パック群が並列に接続されることが、充放電装置２２０の構造に基づいて予め定められている場合がある。この場合、充放電装置２２０は、図９の例によらず、図７および図８の例に基づいて、残りの４つの蓄電池パックが互いに直列に接続されていると判断することができる。したがって、この場合、充放電装置２２０は、図９の例に対応する動作を省略することができる。
【０１２６】
図１０は、図６に示された複数の蓄電池パック２１０の接続関係を示す図である。充放電装置２２０は、図７、図８および図９に示された各状態に基づいて、図１０に示されたような複数の蓄電池パック２１０の接続関係を特定する。
【０１２７】
すなわち、充放電装置２２０は、図７の状態に基づいて、各識別番号が１、３、６または８である４つの蓄電池パックが互いに直列に接続されていると判断する。また、充放電装置２２０は、図８の状態に基づいて、各識別番号が２、５、１０または１１である４つの蓄電池パックが互いに直列に接続されていると判断する。また、充放電装置２２０は、図９の状態に基づいて、各識別番号が４、７、９または１２である４つの蓄電池パックが互いに直列に接続されていると判断する。
【０１２８】
そして、充放電装置２２０は、４つの蓄電池パックでそれぞれが構成される３つの蓄電池パック群が並列に接続されていると判断する。
【０１２９】
複数の蓄電池パック２１０の接続関係は、外部の通信端末２２６の表示部２２８に表示されてもよい。通信端末２２６は、例えば、パーソナルコンピュータ、携帯端末、携帯電話またはスマートフォン等である。表示部２２８は、例えば、パーソナルコンピュータ、携帯端末、携帯電話またはスマートフォン等の画面である。
【０１３０】
より具体的には、例えば、充放電装置２２０の制御部２２４は、複数の蓄電池パック２１０の接続関係を特定する。そして、制御部２２４は、通信部２２５を介して、無線通信で、複数の蓄電池パック２１０の接続関係を示す配列情報を通信端末２２６に送信する。通信端末２２６は、表示部２２８に配列情報を表示する。これにより、充放電装置２２０の制御部２２４は、通信部２２５等を介して、通信端末２２６の表示部２２８に配列情報を表示することができる。
【０１３１】
また、充放電装置２２０の制御部２２４は、充放電装置２２０の表示部（図示せず）に配列情報を表示してもよい。制御部２２４は、その他の装置等に配列情報を出力してもよい。
【０１３２】
配列情報は、複数の蓄電池パック２１０の接続関係を示す情報であり、例えば、識別番号が１である蓄電池パックに対して、識別番号が３である蓄電池パックが直列に接続されていることを示す。識別番号が３である蓄電池パックは、識別番号が１である蓄電池パックのスイッチ２１３の切替に応じて電流値が変動する蓄電池パックである。
【０１３３】
また、充放電装置２２０の制御部２２４は、互いに電気的に直列に接続されている複数の蓄電池パックのそれぞれに対応する充電状態（ＳＯＣ：Ｓｔａｔｅ  Ｏｆ  Ｃｈａｒｇｅ）に基づいて、警告を出力してもよい。各蓄電池パックに対応する充電状態は、二次電池２１４にも対応する。充放電装置２２０の制御部２２４は、警告の出力において、通信部２２５を介して、通信端末２２６の表示部２２８に警告を表示してもよい。
【０１３４】
例えば、互いに直列に接続された複数の蓄電池パックに、充電状態が１００％である蓄電池パックが含まれる場合、充電のための電流が停止することにより、充放電装置２２０は、これらの蓄電池パックの充電をさらに行うことができない。一方、互いに直列に接続された複数の蓄電池パックに、充電状態が０％である蓄電池パックが含まれる場合、放電のための電流が停止することにより、充放電装置２２０は、これらの蓄電池パックの放電をさらに行うことができない。
【０１３５】
したがって、互いに直列に接続された複数の蓄電池パックに対応する複数の充電状態は均等である方がよい。そこで、例えば、複数の蓄電池パック２１０のそれぞれの通信部２１９は充電状態を充放電装置２２０に送信する。そして、充放電装置２２０の通信部２２５は、複数の蓄電池パック２１０のそれぞれの充電状態を受信する。
【０１３６】
そして、例えば、識別番号が１である蓄電池パックの充電状態と、識別番号が３である蓄電池パックの充電状態との差を示す値が所定範囲内でない場合、充放電装置２２０の制御部２２４は、警告を出力する。警告には、２つの識別番号のうち少なくとも一方が含まれていてもよい。また、制御部２２４は、直列の複数の蓄電池パックに対応する複数の充電状態のうち、最大の充電状態と最小の充電状態との差を示す値が所定範囲内でない場合に、警告を出力してもよい。
【０１３７】
これにより、蓄電システム２００は、効率的に充放電が行われるように、複数の蓄電池パック２１０の並び替えをユーザに促すことができる。
【０１３８】
図１１は、図３に示された蓄電システム２００の動作を示すフローチャートである。蓄電システム２００は、複数の蓄電池パック２１０の充放電において、図１１に示された動作を行う。
【０１３９】
まず、充放電装置２２０の制御部２２４は、複数の蓄電池パック２１０の接続関係に対応する配列を確認する（Ｓ２０１）。具体的な動作は後述する。次に、蓄電システム２００は、複数の蓄電池パック２１０の充放電を行う（Ｓ２０２）。すなわち、充放電装置２２０の充放電部２２３が充放電を開始する際に、充放電装置２２０の制御部２２４が配列を確認する。
【０１４０】
なお、複数の蓄電池パック２１０のいずれかが装着されたタイミング、または、複数の蓄電池パック２１０のいずれかが取り外されたタイミングで、充放電装置２２０の制御部２２４が配列を確認してもよい。これにより、充放電装置２２０の制御部２２４は、配列が変更された際に、変更された配列を確認することができる。なお、装着または取り外しは、充放電装置２２０のセンサ２２２によって、検知される。
【０１４１】
充放電装置２２０の制御部２２４は、別のタイミングで、配列を確認してもよい。例えば、充放電装置２２０の制御部２２４は、所定の時間間隔毎に、配列を確認してもよい。充放電装置２２０の制御部２２４は、上記に示された複数のタイミングで、配列を確認してもよい。
【０１４２】
図１２は、図１１に示された動作における配列確認処理（Ｓ２０１）を示すフローチャートである。充放電装置２２０の制御部２２４は、配列を確認するため、図１２に示された動作を行う。なお、充放電装置２２０の制御部２２４は、事前に、通信部２２５を介して複数の蓄電池パック２１０のそれぞれのスイッチ２１３を閉じ、充放電部２２３を介して複数の蓄電池パック２１０に通電させる。
【０１４３】
複数の蓄電池パック２１０に通電中において、まず、充放電装置２２０の制御部２２４は、複数の蓄電池パック２１０のうち、１つの蓄電池パックのスイッチ２１３を開く（Ｓ２１１）。次に、制御部２２４は、複数の蓄電池パック２１０のうち、電流値が０である１以上の蓄電池パックを確認する（Ｓ２１２）。次に、制御部２２４は、複数の蓄電池パック２１０のうち、電流値が０である１以上の蓄電池パックをグループ化する（Ｓ２１３）。
【０１４４】
すなわち、制御部２２４は、電流値が０に変動した１以上の蓄電池パックを１つのグループに含める。電流値が０に変動した１以上の蓄電池パックには、スイッチ２１３が開かれた蓄電池パックも含まれる。
【０１４５】
次に、充放電装置２２０の制御部２２４は、複数の蓄電池パック２１０のうち、グループ化されていない１以上の蓄電池パックが存在するか否かを判定する（Ｓ２１４）。グループ化されていない１以上の蓄電池パックが存在する場合（Ｓ２１４でＹｅｓ）、制御部２２４は、グループ化されていない１以上の蓄電池パックのうちの１つの蓄電池パックのスイッチ２１３を開く（Ｓ２１５）。すなわち、電流値が変動しなかった蓄電池パックのスイッチ２１３が開かれる。
【０１４６】
グループ化されていない１以上の蓄電池パックが存在しない場合（Ｓ２１４でＮｏ）、充放電装置２２０の制御部２２４は、配列の確認を終了する。すなわち、複数の蓄電池パック２１０のうち、全ての蓄電池パックがグループ化されるまで、制御部２２４は、上記の処理を繰り返す。
【０１４７】
充放電装置２２０の制御部２２４は、上記の動作に基づいて、複数の蓄電池パック２１０を複数のグループに分けることができる。そして、充放電装置２２０の制御部２２４は、１つのグループに含まれる複数の蓄電池パックが互いに電気的に直列に接続されていると判断することができる。
【０１４８】
本実施の形態に係る蓄電システム２００は、上記の構成および動作に基づいて、無線通信を利用しつつ、複数の蓄電池パック２１０の電気的な接続関係を特定することができる。したがって、本実施の形態に係る蓄電システム２００は、複数の蓄電池パック２１０の充放電を適切に制御することができる。
【０１４９】
（実施の形態３）
本実施の形態における蓄電システムの基本的な動作は、実施の形態２における蓄電システム２００と同様である。本実施の形態における蓄電システムでは、異常制御の動作が追加されている。
【０１５０】
図１３は、本実施の形態における蓄電システムの構成図である。図１３に示された蓄電システム３００は、複数の蓄電池パック２１０、および、充放電装置３２０を備える。充放電装置３２０は、充放電部２２３、制御部３２４、および、通信部２２５を備える。
【０１５１】
本実施の形態の蓄電システム３００、複数の蓄電池パック２１０、充放電装置３２０、充放電部２２３、制御部３２４、および、通信部２２５は、実施の形態２の蓄電システム２００、複数の蓄電池パック２１０、充放電装置２２０、充放電部２２３、制御部２２４、および、通信部２２５と同様の構成要素である。
【０１５２】
本実施の形態では、実施の形態２と同様に、制御部３２４によって複数の蓄電池パック２１０の接続関係が特定される。特定された接続関係は、充放電装置３２０の記憶部（図示せず）に記憶されてもよい。
【０１５３】
そして、本実施の形態では、充放電装置３２０の制御部３２４が、異常判断部３２９を備える。異常判断部３２９は、複数の蓄電池パック２１０のそれぞれが異常状態であるか否かを判断する。
【０１５４】
例えば、通信部２２５は、複数の蓄電池パック２１０のうち、異常状態である蓄電池パックから異常を示す異常情報を受信する。異常判断部３２９は、異常情報に基づいて、複数の蓄電池パック２１０のそれぞれが異常状態であるか否かを判断する。具体的には、異常判断部３２９は、異常情報を送信した蓄電池パックが異常状態であると判断する。
【０１５５】
蓄電池パックの異常には、過充電および温度異常などがある。通信部２２５は、複数の蓄電池パック２１０のそれぞれから、電流値、電圧値および温度等を受信する。これらの情報が正常範囲でない場合、すなわち、通信部２２５が異常情報を受信した場合、異常判断部３２９は、異常情報を送信した蓄電池パックが異常状態であると判断する。異常判断部３２９は、製品寿命が尽きた蓄電池パック、または、通信可能でない蓄電池パック等も異常状態であると判断してもよい。
【０１５６】
図１３の例では、異常判断部３２９は、識別番号が３である蓄電池パックが異常状態であると判断している。この場合、制御部３２４は、各識別番号が１、３、６または８である４つの蓄電池パックのそれぞれのスイッチ２１３を開く。すなわち、この場合、制御部３２４は、異常状態であると判断された蓄電池パックのスイッチ２１３だけでなく、異常状態であると判断された蓄電池パックに対して電気的に直列に接続された蓄電池パックのスイッチ２１３を開く。
【０１５７】
異常状態であると判断された蓄電池パックは、正常に動作しない可能性がある。したがって、制御部３２４は、異常状態であると判断された蓄電池パックのスイッチ２１３を開くことができない可能性がある。そこで、制御部３２４は、異常状態であると判断された蓄電池パックに対して電気的に直列に接続された蓄電池パックのスイッチ２１３を開くことにより、異常状態であると判断された蓄電池パックを確実に電気的に切り離すことができる。
【０１５８】
なお、異常状態である蓄電池パックに対して電気的に直列に接続された蓄電池パックが、自身のスイッチ２１３を開いてもよい。
【０１５９】
具体的には、図１３の例では、識別番号が３である蓄電池パックの通信部２１９は、識別番号が１である蓄電池パックに異常情報を送信してもよい。この場合、識別番号が１である蓄電池パックの通信部２１９は、識別番号が３である蓄電池パックから送信された異常情報を受信する。そして、識別番号が１である蓄電池パックの制御部２１７は、識別番号が３である蓄電池パックから受信した異常情報に基づいて、自身に対応する蓄電池パックのスイッチ２１３を開く。
【０１６０】
これにより、複数の蓄電池パック２１０は、充放電装置３２０からの制御によらず、異常状態である蓄電池パックに対して充放電が行われることを回避することができる。
【０１６１】
本実施の形態では、制御部３２４が、異常判断部３２９を備えるが、異常判断部３２９は、制御部３２４とは独立した構成要素であってもよい。異常判断部３２９は、複数の蓄電池パック２１０のそれぞれに含まれていてもよい。
【０１６２】
例えば、異常判断部３２９が複数の蓄電池パック２１０のそれぞれに含まれる場合、異常判断部３２９は、自身に対応する蓄電池パックに直列に接続された他の蓄電池パックが異常であるか否かを判断してもよい。そして、他の蓄電池パックが異常であると判断した異常判断部３２９を備える蓄電池パックにおいて、制御部２１７がスイッチ２１３を開いてもよい。
【０１６３】
図１４は、図１３に示された蓄電システム３００の動作を示すフローチャートである。図１４は、特に、異常制御の動作を示す。
【０１６４】
まず、異常判断部３２９は、複数の蓄電池パック２１０のそれぞれが異常状態であるか否かを判断する（Ｓ３０１）。次に、制御部３２４は、複数の蓄電池パック２１０のうち、異常状態であると判断された蓄電池パックのスイッチ２１３を開く。さらに、制御部３２４は、複数の蓄電池パック２１０のうち、異常状態であると判断された蓄電池パックに直列に接続された蓄電池パックのスイッチ２１３を開く（Ｓ３０２）。
【０１６５】
図１４に示された異常制御は、配列確認の直後に行われてもよいし、充放電の直前に行われてもよい。また、複数の蓄電池パック２１０のいずれかの装着または取り外しのタイミングで異常制御が行われてもよい。また、常時、または、所定の時間間隔で、異常制御が行われてもよい。開かれたスイッチ２１３は、蓄電池パックが異常状態から回復された場合、または、複数の蓄電池パック２１０の並び替えが行われた場合に、再び閉じられてもよい。
【０１６６】
本実施の形態に係る蓄電システム３００は、上記の構成および動作に基づいて、異常状態である蓄電池パックを確実に電気的に切り離すことができる。したがって、蓄電システム３００は、安全性を向上させることができ、正常状態である蓄電池パックを継続して利用することができる。
【０１６７】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の蓄電システムなどを実現するソフトウェアは、次のようなプログラムである。
【０１６８】
すなわち、このプログラムは、コンピュータに、蓄電システムの制御方法であって、前記蓄電システムは、複数の蓄電池パックと、前記複数の蓄電池パックの充電および放電のうち少なくとも一方である充放電を行う充放電装置とを備え、前記複数の蓄電池パックのそれぞれは、二次電池と、前記充放電のための電力経路において、前記二次電池に直列に接続されたスイッチと、前記充放電装置と無線通信を行う第１通信部とを備え、前記充放電装置は、前記充放電を行う充放電部と、前記複数の蓄電池パックと無線通信を行う第２通信部とを備え、前記蓄電システムの制御方法は、前記充放電部に前記充放電を行わせて前記複数の蓄電池パックに通電させる通電ステップと、前記複数の蓄電池パックの通電中に、無線通信を用いて、（ｉ）前記複数の蓄電池パックのうち第１蓄電池パックの前記スイッチである第１スイッチを開き、（ｉｉ）続いて、前記第１スイッチを閉じ、（ｉｉｉ）続いて、前記複数の蓄電池パックのうち、前記第１蓄電池パックとは異なる第２蓄電池パックの前記スイッチである第２スイッチを開き、（ｉｖ）続いて、前記第２スイッチを閉じる制御ステップとを含む蓄電システムの制御方法を実行させる。
【０１６９】
また、蓄電システムの各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１７０】
以上、一つまたは複数の態様に係る蓄電システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１７１】
例えば、上記各実施の形態において、特定の処理部が実行する処理を特定の処理部の代わりに別の処理部が実行してもよい。また、複数の処理の順序が変更されてもよいし、複数の処理が並行して実行されてもよい。
【産業上の利用可能性】
【０１７２】
本発明の一態様に係る蓄電システム等は、住宅用、商業用または産業用の電気エネルギーを制御するための蓄電システム等に利用可能であり、バックアップ電源システム、または、ポータブル電源システム等に適用可能である。
【符号の説明】
【０１７３】
１００、２００、３００  蓄電システム
１１０ａ、１１０ｂ、１１０ｃ  蓄電池パック
１１１ａ、１１１ｂ、１１１ｃ、２１４  二次電池
１１２ａ、１１２ｂ、１１２ｃ、２１３  スイッチ
１１３ａ、１１３ｂ、１１３ｃ、１２３、２１９、２２５  通信部
１２０、２２０、３２０  充放電装置
１２１、２２３  充放電部
１２２、２１７、２２４、３２４  制御部
２１０  複数の蓄電池パック
２１１、２２１  接続部
２１２  正極端子
２１５、２１６、２２２  センサ
２１８  負極端子
２２６  通信端末
２２８  表示部
３２９  異常判断部
【図１】
0006369800.tif 000002
【図２】
0006369800.tif 000003
【図３】
0006369800.tif 000004
【図４】
0006369800.tif 000005
【図５】
0006369800.tif 000006
【図６】
0006369800.tif 000007
【図７】
0006369800.tif 000008
【図８】
0006369800.tif 000009
【図９】
0006369800.tif 000010
【図１０】
0006369800.tif 000011
【図１１】
0006369800.tif 000012
【図１２】
0006369800.tif 000013
【図１３】
0006369800.tif 000014
【図１４】
0006369800.tif 000015